(57)【要約】【課題】庇板の寄せ付けによる継手接合で庇体を形成しても、水密性があり、強固で安定したものとなることをその課題とする。【解決手段】一側面に挿着部１９を他側面に受部２０を有する庇板３の基端部に、Ｌ形固定具２９の重合部２９ａを重ねて、両者に第１ボルト２７を通し、その頭２７ａを取付部材２の横片２ｂに形成された係止溝１０に係合させ、上記Ｌ形固定具２９の立上片２９ｂには第２ボルト３２を通して、その頭３２ａを取付部材２の縦片２ａに形成された係止溝７に係合させて、第１ボルト２７と第２ボルト３２に第１ナット３４と第２ナット３５を仮締めして、庇板３の寄せ付けを係止溝１０と係止溝７に案内させて行い、庇板３が受部２０と挿着部１９の嵌合で接合されると、第１ナット３４と第２ナット３５を本締めする操作を繰り返して水密性がある強固な建物用庇を簡単に速やかに構成すること。【選択図】図２
2011111755.tif 000002
【特許請求の範囲】
【請求項１】
建物躯体に取り付けた取付部材に中空の庇板を継手で接合しながら取り付けて庇体を構成させる建物用庇の取付構造であって、
上記取付部材は、建物躯体に取り付ける縦片と庇体を支持する横片に、ボルトの頭を移動自在に係合させる長手方向の係止溝を形成され、
上記中空の庇板は、相互の対応側面に接合用の受部と挿着部を、基端部の上側には後部に立上片を有するＬ形固定具を重ねられ、
該庇板の基端部とこれに重ねたＬ形固定具は、下から上に第１ボルトを通され、上記Ｌ形固定具の立上片は、後から前に第２ボルトを通されて、
上記第１ボルトは、頭を上記横片に形成される係止溝に係合され、第２ボルトは頭を上記縦片に形成される係止溝に係合されて、第１ナットと第２ナットの仮締め時は、両ボルトで庇板の直線移動を案内して、受部と挿着部の嵌合による庇板の接合を行わせ、第１ナットと第２ナットを本締めすると、接合された庇板が固定されるようにした
ことを特徴とする建物用庇の取付構造。
【請求項２】
上記第１ボルトと第２ボルトが、取付部材の横片に形成された係止溝と、縦片に形成された係止溝に、頭を係合させて必要本数を所定の間隔で支持されて、これらボルトに一方から他方にと順次に庇板とＬ形固定具が取り付けられる
ことを特徴とする請求項１に記載の建物用庇の取付構造。
【請求項３】
上記庇板の基端部に重ねるＬ形固定具の第１ボルトを通す孔は、前後方向の長孔に形成されている
ことを特徴とする請求項１又は請求項２に記載の建物用庇の取付構造。
【請求項４】
上記取付部材の縦片に孔と係止溝を設けてある
ことを特徴とする請求項１〜３の何れかに記載の建物用庇の取付構造。
【請求項５】
上記中空の庇板に形成される挿着部の下側のものが樋形をなし、対応する受部の間には上記挿着部に漏水を導く導水片が設けられている
ことを特徴とする請求項１〜４の何れかに記載の建物用庇の取付構造。
【請求項６】
上記水切りカバー材の基端部と建物躯体の隙間、及び先端部と庇体との隙間が充填溝へのコーキング材の充填で封塞されている
ことを特徴とする請求項１〜５の何れかに記載の建物用庇の取付構造。
【請求項７】
上記庇体の先端部に取り付けられる化粧カバー材が、上方に開口する樋形に形成されている
ことを特徴とする請求項１〜６の何れかに記載の建物用庇の取付構造。
【請求項８】
上記化粧カバー材は、後部に漏水を集めて排出する樋部を形成されている
ことを特徴とする請求項１〜７の何れかに記載の建物用庇の取付構造。
【請求項９】
上記庇体の張出しが大きくて吊りアームによる支持を必要とする場合、吊りアームを取り付けられる中空の庇材は、取付部に対応する空間内に受部材を挿入し、この受部材に基端側を建物躯体に取り付たけた吊りアームの先端側に設けられる取付具をねじ等で止着してある
ことを特徴とする請求項１〜８の何れかに記載の建物用庇の取付構造。
【発明の詳細な説明】
【技術分野】
【０００１】
本発明は、取付部材に中空の庇板を継手接合しながら取り付けて庇体を構成させる建物用庇の取付構造に関する。
【背景技術】
【０００２】
従来、建物の外壁面より前方に張り出すように設けられる庇であって、庇板と、建物の外壁面に固着され前記庇板の基端部を全幅にわたって保持する保持具と、前記庇板の先端側に装着される樋状の縁板から成り前記庇板は、側端面を互いに突き合わせるようにして幅方向に連結される複数の中間板材と、両側位置の中間板材の外側端面にそれぞれ装着される側板材とで構成され、各中間板材は両側端面に、各側板材は内側端面に、それぞれ他の板材と係脱可能な係合部が形成されて成る庇は知られている（特許文献１参照）。
【０００３】
しかしながら、上記庇は、接合する各板材の基端側を建物にアンカーボルトで取付けられる保持基板の垂直板部に押し付けると、接合された各板材の先端側が一線に揃うようにしているが、上記アンカーボルトは板材の後端内側に入り込むように垂直部より突出しているので、板材を上記垂直板部に基端部が当った状態で横方向に動かすと、側壁がアンカーボルトによって動きを止められ、板材を先の板材に係合することができない。そこで、板材を基端側の側壁がアンカーボルトに当たらない位置まで引き出して、板材を先の板材に係合した後、板材を基端側に戻す為、板材の先端をハンマーで叩く等して先端を揃えるようにしている。このため、段違いが生じた各板材の先端を一線に揃える必要があるから、作業には手間がかかって、板材の先端側を損傷若しくは変形をさせ易く、更に、各板材の対応側面に形成される係合部の隙間にはシール部材を備えないから、雨水が係合部を通過して庇下に漏れ落ち易いという問題点があった。
【０００４】
上記問題点を解決するため、本発明者は、建物躯体に中空の庇板を接合して形成した庇体を取付部材で取付け、この庇体の基部に水切りカバー材を、先端に化粧カバー材を取付けてなる建物用庇において、上記取付部材は、庇体を取付ける横片の上側に頭を係合させてボルトを支持する係止溝を長手方向に形成され、上記中空の庇板は、相互の対応側面に接合用の受部と挿着部を、一部にシール部材を支持し得るように形成されて、基端部には上下方向の孔があけられて、この中空の庇板を、上記係止溝に頭を係合させたボルトに、孔を嵌めてナットを仮締めすることで支持させ、該ボルトとともに移動させると受部と挿着部の係合による庇板の接合が行われ、接合後にナットを本締めすると庇板の取付部材への固定が行われるようにした建物用庇を提供した（特許文献２参照）。
【０００５】
上記建物用庇体は、取付部材の横片に形成した係止溝に頭を係合させてボルトを支持させ、このボルトに中空の庇板の基端部にあけた孔に嵌めて上記ボルトにナットを仮締めすると、庇板がボルトに支持されてボルトと共に移動させれば、庇板の先端が一線をなす接合が行われて、接合後にボルトを本締めすると庇板を取付部材に固定することができるので、上記操作を繰り返すと簡単迅速に庇体が形成されるだけでなく、庇板の固定構造は、その孔を通したボルトにナットを締め込むだけの至って簡単なものであり、しかも、庇板を接合する受部と挿着部は一部にシール部材を備えて、このシール部材で受部と挿着部の隙間を密封して漏水しない庇体を実現することができた。しかしながら、最近は、出巾方向の長い庇や、デザイン上の理由より補強の吊りアームを付設しない庇が要求される為、改善が要望されていた。
【先行技術文献】
【特許文献】
【０００６】
【特許文献１】特開２００７−１６２４１５号公報
【特許文献２】特開２００９−９７３２６号公報
【発明の概要】
【発明が解決しようとする課題】
【０００７】
本発明は、庇板の寄せ付けによる継手接合で庇体を形成しても、水密性があり、強固で安定したものになることをその課題とする。
【課題を解決するための手段】
【０００８】
前記課題を解決するため、請求項１に係る発明は、建物躯体に取り付けた取付部材に中空の庇板を継手で接合しながら取り付けて庇体を構成させる建物用庇の取付構造であって、上記取付部材は、建物躯体に取り付ける縦片と庇体を支持する横片に、ボルトの頭を移動自在に係合させる長手方向の係止溝を形成され、上記中空の庇板は、相互の対応側面に接合用の受部と挿着部を、基端部の上側には後部に立上片を有するＬ形固定具を重ねられ、該庇板の基端部とこれに重ねたＬ形固定具は、下から上に第１ボルトを通され、上記Ｌ形固定具の立上片は後から前に第２ボルトを通されて、上記第１ボルトは、頭を上記横片に形成される係止溝に係合され、第２ボルトは頭を上記縦片に形成される係止溝に係合されて、第１ナットと第２ナットの仮締め時は、両ボルトで庇板の直線移動を案内して、受部と挿着部の嵌合による庇板の接合を行わせ、第１ナットと第２ナットを本締めすると、接合された庇板が固定されるようにしたことを特徴とする。
【０００９】
請求項２に係る発明は、上記第１ボルトと第２ボルトが、取付部材の横片に形成された係止溝と、縦片に形成された係止溝とに、頭を係合させて必要本数を所定の間隔で支持されて、これらボルトに一方から他方にと順次に庇板とＬ形固定具が取り付けられることを特徴とする。
【００１０】
請求項３に係る発明は、上記庇板の基端部に重ねるＬ形固定具の第１ボルトを通す孔は
、前後方向の長孔に形成されていることを特徴とする。
【００１１】
請求項４に係る発明は、上記取付部材の縦片に孔と係止溝を設けてあることを特徴とする。
【００１２】
請求項５に係る発明は、上記中空の庇板に形成される挿着部の下側のものが樋形をなし、対応する受部の間には、上記挿着部に漏水を導く導水片が設けられていることを特徴とする。
【００１３】
請求項６に係る発明は、上記水切りカバー材の基端部と建物躯体の隙間、及び先端部と庇体との隙間が、充填溝へのコーキング材の充填で封塞されていることを特徴とする。
【００１４】
請求項７に係る発明は、上記庇体の先端部に取り付けられる化粧カバー材が、上方に開口する樋形に形成されていることを特徴とする。
【００１５】
請求項８に係る発明は、上記化粧カバー材は、後部に漏水を集めて排出する樋部を形成されていることを特徴とする。
【００１６】
請求項９に係る発明は、上記庇体の張出しが大きくて吊りアームによる支持を必要とする場合、吊りアームを取り付けられる中空の庇材は、取付部に対応する空間内に受部材を挿入し、この受部材に基端側を建物躯体に取り付たけた吊りアームの先端側に設けられる取付具をねじ等で止着してあることを特徴とする。
【発明の効果】
【００１７】
請求項１に係る発明によれば、庇板の基端部とこれに重ねたＬ形固定具に、取付部材の横片に形成された係止溝に頭を係合させた第１ボルトを通し、上記Ｌ形固定具の立上片に取付部材の縦片に形成された係止溝に頭を係合する第２ボルトを通すから、上記両ボルトにナットを仮締めすれば、庇板は一対の係止溝に案内されて直線移動するが、止めてナットを本締めすればその位置に固定されるから、次の庇板をナットの仮締め状態で移動させて、先の庇板に寄せ付ける操作を繰り返し行えば、両庇板は受部と挿着部の嵌合で先端に段違いを生ずることなく１線状に接合されて、取付部材の強度を増す。また、庇板の側面に形成される受部と挿着部は、雨水等を支持し易い形成をしているため、継手部から漏水が生じた場合でも、漏水を受けて庇体の傾斜で化粧カバー材の排水樋に送り、庇体からの漏水を起こしにくい特徴を有する。
【００１８】
請求項２に係る発明によれば、取付部材の横片に形成される係止溝と、縦片に形成される係止溝に必要数の第１ボルトと第２ボルトを所定の間隔で支持させて置いて、これらボルトに一方から順次に庇板とＬ形固定具を支持させ、先の庇板から第１ナットと第２ナットの締め込みで固定し、後の庇板を順次先の庇板に寄せ付けて受部と挿着部の嵌合で接合する操作を行って庇体の構成を簡単に速かに行うことができる。
【００１９】
請求項３に係る発明によれば、Ｌ形固定具にあけて第１ボルトを通す孔が前後方向の長孔であるため、この長孔の範囲内でＬ形固定具を前後に移動させて、後部に設けられた立上片の孔に取付部材の縦片から突出する第２ボルトを容易に通すことができる。
【００２０】
請求項４に係る発明によれば、建物躯体へ取り付けるための孔と、Ｌ形固定具を介して庇板を支持するための係止溝が別々に設けられているため、建物躯体の材質に限定されることなく、取り付けられる。
【００２１】
請求項５の発明によれば、庇板の接合部から漏水があっても、漏水を導水片で樋に導いて、樋から化粧カバー材に設けられた樋部に排出させるから、庇体からの漏水防止に有効である。
【００２２】
請求項６の発明によれば、水切りカバー材の基端側と建物躯体の隙間及び先端側と庇体との隙間が充填溝へのコーキングの充填で封塞されるため、漏水を生じ易い庇体の取付部からの漏水を防止するのに有効である。
【００２３】
請求項７の発明によれば、化粧カバー材を上方が開口する樋形にすると、庇体上を流れた雨水が樋形部に集められて排水口から排出されて綺麗に処理される。
【００２４】
請求項８の発明によれば、庇板同士の接合部の表面から漏水すると、導水片が漏水を受けて樋部に送り、庇体の先端から化粧カバー材の樋部へ排出するので、庇板同士の接合部の裏面へ漏水を防止するのに有効である。
【００２５】
請求項９の発明によれば、張出しが大きい庇体を用いても吊りアームを取り付ける事で強度を増して、安全、確実に支持させることができる。
【図面の簡単な説明】
【００２６】
【図１】本発明に係る取付構造で構成された建物用庇の斜視図。
【図２】同上の一部分を省略した縦断側面図。
【図３】取付部材の横片に形成された係止溝に第１ボルトが、縦片に形成された係止溝に第２ボルトが間隔を隔てて配置されて、上記のボルトの一部で庇板が取り付けられた斜視図。
【図４】取付部材の横片に形成された係止溝に頭を係合させた第１ボルトに庇板の基端部を取り付けた説明図。
【図５】庇板の基端部の上側に乗せたＬ形固定具を、立上片の孔から縦片に形成された係止溝に支持された第２ボルトが出るように移動させた説明図。
【図６】Ｌ形固定具の長孔から出た第１ボルトと、立上片の孔から出た第２ボルトにナットを締め込んでＬ形固定具と庇板を固定した説明図。
【図７】取付部材の上端部とＬ形固定具の先端部に跨って水切りカバー材を取り付けた説明図。
【図８】取付部材の両端に蓋板を取り付けた説明図。
【図９】上記水切りカバー材の基端側と建物躯体との隙間、及び水切りカバー材の先端部と庇体との充填溝にコーキングを充填して封塞した説明図。
【図１０】庇体の先端に取付材と化粧カバー材を取り付けた説明図。
【図１１】化粧カバー材の両端に蓋板を取り付けた説明図。
【図１２】取付部材の一端に固定された先の庇板に、次の庇板を係止溝に案内させて寄せ付ける説明図。
【図１３】隣り合う庇板が寄せ付けによる受部と挿着部の嵌合で接合された態様の説明図。
【図１４】中間用の庇板の端面図。
【図１５】左端用の庇板の端面図。
【図１６】右端用の庇板の端面図。
【図１７】（ａ）（ｂ）は左端用の庇板の裏面に形成された模様の例を示す部分図。
【図１８】庇体の先端部に取り付けた三角形の化粧カバー材を示す説明図。
【図１９】庇体の先端部に取り付けた丸形の化粧カバー材を示す説明図。
【図２０】庇体の先端部に取り付けた四角形の化粧カバー材を示す説明図。
【図２１】建物用庇を吊りアームで建物躯体に吊った側面図。
【図２２】吊りアームの基端用の取付具を示す斜視図。
【図２３】吊りアームの先端用の取付具を示す斜視図。
【図２４】吊りアームの受金具の構造と庇板への装着状態を示す斜視図。
【発明を実施するための形態】
【実施例１】
【００２７】
図１及び図２において符号Ａは、本発明の取付構造で構成された建物用庇を示す。この建物用庇Ａは、図１及び図２に示す通り建物躯体１に取り付けられた取付部材２に、中空の庇板３を接合しながら取り付けて庇体４を構成させ、この庇体４の基端部の上側に水切りカバー材５を取り付け、先端部には化粧カバー材６を取付けて完成させたものである。
【００２８】
上記取付部材２は、図２〜図７に示す通り建物躯体１に固定する縦片２ａと、庇体４の基端部を支持させる横片２ｂとでＬ形をなして、縦片２ａの幅方向の中央部には前向きの長手方向の係止溝７と、該係止溝７の張出しに合わせた後記Ｌ形固定具の受片１１が存在し、上端には前側へ突出する水切りカバー材５の支持片９が存在し、また、横片２ｂの幅方向の中央部には上向きの長手方向の係止溝１０が、該係止溝１０の前側と後側には、係止溝１０の突出に合わせた庇板３の受片８と、庇板３の基端縁を押し当てて庇板３同士の一線を揃える定規片１２が、上記係止溝１０の前側の基部と、定規片１２の後側の基部には、ねじ受用の小円溝１３と小円溝１３が存在するようにアルミニウムの押出成形で成形した長尺材を必要な長さに切断して形成したものであり、縦片２ａの上部と下部には、図３に示す通り建物躯体１にアンカーボルト１４で取付けるための孔１５を離隔させて複数個あけられる。
【００２９】
上記中空の庇板３は、多く使用される中間用を図１４に示す通り、適当な幅と厚さを有する長方形断面の中空体で内側に、ねじ受け用の小円溝１７を外面の中央部に形成された一対の補強リブ１８と補強リブ１８が離隔して存在し、左側面の上側及び下側には、挿着部１９と挿着部１９が存在し、右側面の上側と下側及び中間には、受部２０と受部２０及び先下りに傾斜する導水片２１が存在するアルミニウム材の押出成形で形成した長尺材を必要な長さに切断して形成したものであり、上記挿着部１９、挿着部１９は、先端に立上片１９ａ及び立上片１９ａを有して、上側の挿着部１９は図１２及び図１３に示すシール部材２２の支持部２３を形成し、下側の挿着部１９は漏水を集める樋２４を形成するようにしてあり、特に下側の挿着部１９は対応する受部２０への嵌合が円滑に行われるように角部に面取１９ｂを施してある。
【００３０】
上記中間用の中空の庇板３は、接合して庇体４を形成した際、左端に位置するものは図１５に示す通り、右側面に受部２０、受部２０が、右端に位置するものは図１６に示す通り、左側面に挿着部１９、挿着部１９が形成され、左端用の庇板３ａは左側面が平面であり、右端用の庇板３ｂは右側面が平面である。
【００３１】
なお、中間用の庇板３、左端用の庇板３ａ、右端用の庇板３ｂは、庇板３ａに付いて示す通り、裏面には図１７（ａ）に示す通りの低い凹凸条２５か、図１７（ｂ）に示す通りの補強リブ２６を長手方向に配置して意匠価値を高めさせ、建物躯体１に取り付ける基端部には、図４に示す第１ボルト２７を挿し通す孔２８を図３〜図７に示す通り上下の方向にあけられている。
【００３２】
上記庇板３、庇板３ａ、庇板３ｂの基端部の上側へ載置するＬ形固定具２９は、図５〜図６に示される通り、例えば庇板３の基端部に重ねる重合部２９ａと、その後端に立上がる立上片２９ｂとでＬ形をなして、重合部２９ａの先端には後述の水切カバー材の先端を引っ掛ける為の引掛部３０を有するように形成されて、上記重合部２９ａには、庇板２の基端部にあけられた孔２８に合わせて、頭２７ａを係止溝１０に係合させた第一ボルト２７を通す長孔３１を前後方向に長くあけられ、立上片２９ｂには、頭３２ａを係止溝７に係合させた第２ボルト３２を通す孔３３をあけられるため、図５のように長孔３１を第１ボルト２７が通り、孔３３を第２ボルト３２が通るようにＬ形固定具２９がセットされたら、図６に示す通り第１ボルト２７には第１ナット３４を、第２ボルト３２には第２ナット３５を仮締めして、隣接する庇板３との寄せ付けによる接合を行い、接合後には両ナット３４、３５を本締めして庇板３が取付部材２へ固定されるようにする。
【００３３】
上記水切りカバー材５は、図７に示す通り、取付部材２の上部からＬ形固定具２９の前部まで斜めに延び出す斜片部５ａが、上端の後側に段落部５ｂを形成され、下端の後側に段落部５ｃを形成されて、段落部５ｂと段落部５ｃの角部にはそれぞれ図８に示すねじ４１を締め込む小円溝３７、小円溝３７が形成されるようにアルミニウム材の押出成形で形成した長尺材を必要な長さに切断して形成したものであり、一方の段落部５ｂの横片５ｄは取付部材２の支持片９へ重ね、他方の段落部５ｃの横片５ｅは、Ｌ形固定具２９に形成された引掛部３０に係合させて水切りカバー材５の下端を係止させる。
【００３４】
両端が開放している上記水切りカバー材５と取付部材２へ、図８に示す通り開放に形状を合わせた蓋板４０を当てて、この蓋板４０に取付部材２の横片２ｂに形成された小円溝１３、小円溝１３と水切りカバー材５に形成された小円溝３７、小円溝３７に位置合わせして孔３９、３９、３９、３９をあけ、これらの孔からねじ４１を小円溝３７に締め込んで、図９に示す通り取付部材２及び水切りカバー材５へ取り付ける。
【００３５】
上記蓋板４０の取り付け後に、水切りカバー材５の段落部５ｂ、段落部５ｃで図８に示す通り形成される充填溝４２と充填溝４３には、図９に示す通りコーキング材４４を充填して、庇体４の基端部と建物躯体1との隙間及び水切りカバー材５と庇体４との隙間を封塞させて漏水が防止されるようにする。
【００３６】
上記の通り基端部に水切りカバー材５が取り付けられた庇体４は、先端が開口するから、この部分に化粧カバー材６の取付材４５を取り付ける。この取付材４５は前面の上部に化粧カバー材６の支持片４５ａが張り出し、下部に先下がりに傾く導水片４５ｂが張り出すように形成されていて、庇板３の補強リブ１８に形成された小円溝１７に合う位置にあく孔４６から小円溝１７にねじ４７を締め込んで、取付材４５を庇体４に固定する。
【００３７】
上記取付材４５が庇体４に取り付けられたら、この取付材４５に化粧カバー材６を取り付けて庇体４の先端を飾る。この化粧カバー材６は、雨樋を兼ねさせる場合は、図１０に示す通り、上方に開口するコ字形の主体６ａの前壁の上部と下部に飾片６ｂと飾片６ｂが突出し、後壁の上部には取付材４５の支持片４５ａに乗る取付片６ｃが突出し、下部には庇板３等の先端下部に臨む樋部６ｄが形成され、主体６ａの前壁の上部と後壁の下部に図１１に示すねじ５７を締め込む小円溝４９、小円溝４９が形成されるようにアルミニウム材の押出成形で形成した長尺材を必要な長さに切断して形成するものであって、図１０に示す通り取付片６ｃにあけた孔５０からねじ５１を支持片４５ａにあけたねじ孔５２に締め込めば、庇体４の先端に取り付けられるから、両端の開口部に主体６ａに対応する排水口５３と樋部６ｄに対応する排水口５４を有する蓋板５５を図１１の通り当てて、上記小円溝４９、小円溝４９の位置にあく孔５６から小円溝４９、小円溝４９にねじ５７を締め込んで蓋板５５を化粧カバー材６に取り付ける。
【００３８】
上記化粧カバー材６は、これの形態によって庇体４の意匠性が左右されるので、意匠性を主眼として樋を兼ねさせない場合は、例えば、図１８に示す三角形、図１９に示す丸形、図２０に示す角形、その他の形状が適用されるものであって、図１８に示す三角形の場合は、主体６ｆが斜面を前方に向けた中空の三角形をなし、先端部の下側に垂下片６ｇを有して、後壁の上部には取付材４５の支持片４５ａに重ねる取付片６ｈを有し、下部には庇体４の先端下部まで臨む樋部６ｉを有し、更に、主体６ｆ内部の上隅と前下隅及び縦壁の後側には、小円溝５８、小円溝５８、小円溝５８が形成され、両端には上記樋部６ｉに対応する位置に排水口５９を有する蓋板６０が取り付けられる。
【００３９】
図１９に示す丸形の場合は、三角形の前角側を丸く湾曲させた主体６Ｊの、先端下部に垂下片６ｋを有し、縦壁の上部に取付材４５の支持片４５ａに乗る取付片６ｌを有し、下部に庇体４の先端下部まで臨む樋部６ｍを有して、主体６Ｊの内側の前部と上隅及び縦壁の後面の３箇所に小円溝６１、小円溝６１、小円溝６１が形成され、両端には上記樋部６ｍに対応する位置に排水口６２を有する蓋板６３が取り付けられる。
【００４０】
図２０に示す角形の化粧カバー材６の場合は、コ字形をなす主体６ｎの上側の横壁が取付材４５の支持片４５ａに乗る取付片６ｏとなり、下側の横壁が庇体４の先端下側に臨む樋部６ｐとなって、主体６ｎの後側に離隔させて２つの小円溝６４、小円溝６４が形成され、両端には上記樋部６ｐに対応する位置に排水口６５を有する蓋板６６が取り付けられる。
【００４１】
上記三角形、丸形、角形の化粧カバー材６の取り付けは、図１０及び図１１に示した樋を兼ねる化粧カバー材６と同様に行われるもので、これら３タイプに関する取り付けの説明は省略する。
【００４２】
本発明の取付構造で建物用庇Ａを構成するには、建物躯体１の庇体４を取付ける位置に図４に示す通り、取付部材２の縦片２ａを建物躯体１に添えて孔１５に通したアンカーボルト１４等で建物躯体１に固定する。そして、取付部材２の縦片２ａの前側に形成される係止溝７と、横片２ｂの上側に形成される係止溝１０とに、図４に示す通り第１ボルト２７と第２ボルト３２を、頭２７ａ及び頭３２ａを係止溝１０と係止溝７に係合させて、図３に示すように配置する。そして、第１ボルト２７の例えば左端のものに、左端の庇板３ａの基端部にあけた孔２８を通して、基端部を横片２ｂに支持させ、基端部の上側にＬ形固定具２９の重合部２９ａにあけた長孔３１に第１ボルト２７を通すことで乗せて、このＬ形固定具２９を図５に示す通り、第２ボルト３２に向かって移動させると、立上片２９ｂにあけた孔３３を第２ボルト３２が通るので、この状態で第１ボルト２７と第２ボルト３２に第１ナット３４と第２ナット３５を仮締めして置いて、庇板３ａの位置を決め、第１ナット３４と第２ナット３５を本締めすれば、左端の庇板３ａが取付部材２の縦片２ａと横片２ｂに固定される。そこで、次の第１ボルト２７に孔２８を通して中間用の庇板３の基端部を支持させ、この基端部の上にＬ形固定具２９の重合部２９ａにあけた長孔３１に第１ボルト２７を通すことで乗せて、このＬ形固定具２９を後側に移動させて、立上片２９ｂにあけられた孔３３から第２ボルト３２を出して、この第２ボルト３２と第１ボルト２７に第２ナット３５と第１ナット３４を仮締めして、庇板３を左端用の庇板３ａに寄せ付ければ、庇板３ａの側面に形成された受部２０、受部２０に、庇板３の側面に形成された挿着部１９、挿着部１９が図１３に示す通り嵌合されて、支持部２３に事前にシール部材２２を収容して置けば、このシール部材２２により挿着部１９と受部２０との隙間が封塞される。しかも、庇板３の庇板３ａへの寄せ付けは、第１ボルト２７の頭２７ａが係止溝１０に、第２ボルト３２の頭３２ａが係止溝７に係合していて、係止溝７と係止溝１０で直線誘導されるから、上記操作を繰り返して必要数の庇板３ａ、庇板３、庇板３ｂの接合を行えば、庇板が水密を保持して段違いなく一線状に接合された庇体４が形成される。なお、支持部２３にシール部材２２を収容せず、庇板材同士の接合だけでも良い。
【００４３】
上記の通り庇体４が形成されたら、水切りカバー材５を、図７に示す通り上側に設けた段落部５ｂの横片５ｄが取付部材２の縦片２ａの上端に設けられた支持片９に重なり、先端側に設けた段落部５ｃの横片５ｅがＬ形固定具２９の重合部２９ａに設けた引掛部３０へ係合するように置いて、横片５ｄをねじ３８で支持片９に締め付ければ、庇体４の基端部の上側は水切りカバー材５の主部５ａで覆われる。そこで、取付部材２と水切りカバー材５の両端部に図８に示す通り蓋板４０を当て、この蓋板４０を取付部材２と水切りカバー材５にねじ４１の締め付けで取り付けて、水切りカバー材５の上部と下部に生じたコーキング４４の充填溝４２と充填溝４３に、図９に示す通りコーキング４４を充填して、水切りカバー材５の基端側と建物躯体１の隙間及び水切りカバー材５の先端側と庇体４との隙間の封塞を行わせた後、庇体４の先端に取付材４５を庇板３の小円溝１７へねじ４７で締め付けて取り付け、この取付材４５の支持片４５ａに化粧カバー材６の取付片６ｃを重ねてねじ５１で支持片４５ａに締め付ければ、庇体４の基端部が水切りカバー材６で止水され、先端側が化粧カバー材６で装飾された建物用庇Ａを簡単に構成されるものである。
【００４４】
図２１は、庇板３が建物躯体１からの張出しが大きい為、吊りアーム６７で建物躯体１へ吊る事で安定された建物用庇Ａを示す。この建物用庇Ａの構成は上記と同様であるので、以下に吊りアーム６７と該吊りアーム６７を庇体４へ取付ける構造について説明する。
【００４５】
上記吊りアーム６７は、図２１に示す通り円筒で形成されて、基端部に取付用の孔６８を横方向にあけられ、先端部の内側にナット６９を固定されて、このナット６９には、一方に左ねじ７０ａを、他方に右ねじ７０ｂを形成された調整ボルト７０の例えば左ねじ７０ａが螺合され、調整ボルト７０の右ねじ７０ｂは、庇体４の先端部の上側に取り付けられた連結駒７１に固定されるナット７２に螺合される。従って、上記調整ボルト７０を左ねじ７０ａと右ねじ７０ｂでナット６９とナット７２の引き寄せが行われる方向に回転させると、連結駒７１が吊りアーム６７側に移動して庇体４の先端部を引き上げ、先垂れを生じない状態に保つ作用を行う。なお、上記調整ボルト７０の左ねじ７０ａと右ねじ７０ｂには、調整時は緩めて調整ボルト７０の回転を自在とし、調整後は締めて調整ボルト７０の回転を制止するロックナット７３とロックナット７４が螺合される。
【００４６】
上記吊りアーム６７の基端部を図２１に示す取り通り建物躯体１に取り付ける取付具７５は、図２２に示す通り縦の基片７５ａの中央部の両側から前方に一対の支持片７５ｂ、支持片７５ｂを突出させたもので、上記基片７５ａは上部と下部にあけた孔７６、孔７６に通したアンカーボルト７７、アンカーボルト７７で建物躯体１に取り付けられ、上記一対の支持片７５ｂ、支持片７５ｂの間には、吊りアーム６７の基端部を挟ませて、支持片７５ｂ、支持片７５ｂの先端側にあけた孔７８、孔７８と、吊りアーム６７の基端部にあけた孔６８を合わせて取付軸７９を通すことで、吊りアーム６７の基端部を上下方向の回動が可能となるように建物躯体１へ取り付ける。
【００４７】
上記連結駒７１を図２１に示す通り庇板３に取り付ける取付具８０は、図２３に示す通り、横の基片８０ａの中央部の両側から上方に一対の支持片８０ｂ、支持片８０ｂを突出させたもので、上記基片８０ａを前部と後部にあけた孔８１、孔８１に通したボルト８２、ボルト８２を、庇板３内に収容した後記受部材に締め込むことで庇板３に取り付け、上記一対の支持片８０ｂ、支持片８０ｂの間には、連結駒７１を挟んで、支持片８０ｂ、支持片８０ｂの先端側にあけた孔８３、孔８３と連結駒７１にあけた孔８４に取付軸８５を通すことで、連結駒７１を回動可能に支持させる。
【００４８】
上記取付具８０に対応させて庇板３内に収容する受部材８６は、庇板３内の一対の補強リブ１８、補強リブ１８の間にある空間に収容するもので、図２４に示す通り、一対の側板８６ａ、側板８６ａを離隔させた一対のリブ８６ｂ、リブ８６ｂで接合して、上記リブ８６ｂ、リブ８６ｂの外側には、長ナット８７、長ナット８７を空転させない形状の収容部８６ｃ、収容部８６ｃを形成されている。そして、これら収容部８６ｃ、収容部８６ｃには長ナット８７、長ナット８７を収容し、上記リブ８６ｂ、リブ８６ｂの外面の中央部にはねじ受け用の小円溝８８、小円溝８８を形成して、この受部材８６を、庇板３の空間に挿入して、庇板３の上面へ図２１の円内に示す通りあけた孔８９、孔８９に長ナット８７、長ナット８７が合い、孔９０、孔９０に小円溝８８、小円溝８８が合った位置で止め、孔９０、孔９０から小円溝８８、小円溝８８にねじ９１、ねじ９１を締め込んで受部材８６を庇板３に止めて、上記取付具８０の孔８１、孔８１に通したボルト８２、ボルト８２による庇板３への強固な取付が簡単にできるようにしてある。
【産業上の利用可能性】
【００４９】
中空の庇材の所要数を簡単に接合して、コストアップなく水密性があり、強固な建物用庇体を構成するのに利用できる。
【符号の説明】
【００５０】
Ａ  建物用庇
１  建物躯体
２  取付部材
２ａ  縦片
２ｂ  横片
３  庇板
４  庇体
５  水切りカバー材
７  係止溝
１０  係止溝
１９、１９  挿着部
２０、２０  受部
２７  第１ボルト
２７ａ  第１ボルトの頭
２９  Ｌ形固定具
３２  第２ボルト
３２ａ  第２ボルトの頭
３４  第１ナット
３５  第２ナット
【図１】
2011111755.tif 000003
【図２】
2011111755.tif 000004
【図３】
2011111755.tif 000005
【図４】
2011111755.tif 000006
【図５】
2011111755.tif 000007
【図６】
2011111755.tif 000008
【図７】
2011111755.tif 000009
【図８】
2011111755.tif 000010
【図９】
2011111755.tif 000011
【図１０】
2011111755.tif 000012
【図１１】
2011111755.tif 000013
【図１２】
2011111755.tif 000014
【図１３】
2011111755.tif 000015
【図１４】
2011111755.tif 000016
【図１５】
2011111755.tif 000017
【図１６】
2011111755.tif 000018
【図１７】
2011111755.tif 000019
【図１８】
2011111755.tif 000020
【図１９】
2011111755.tif 000021
【図２０】
2011111755.tif 000022
【図２１】
2011111755.tif 000023
【図２２】
2011111755.tif 000024
【図２３】
2011111755.tif 000025
【図２４】
2011111755.tif 000026
【手続補正書】
【提出日】平成22年9月24日(2010.9.24)
【手続補正１】
【補正対象書類名】特許請求の範囲
【補正対象項目名】請求項６
【補正方法】変更
【補正の内容】
【請求項６】
上記建物躯体の基端部の上側に設けられた水切りカバー材の基端部と建物躯体の隙間、及び先端部と庇体との隙間が充填溝へのコーキング材の充填で封塞されている
ことを特徴とする請求項１〜５の何れかに記載の建物用庇の取付構造。
【手続補正２】
【補正対象書類名】明細書
【補正対象項目名】００１３
【補正方法】変更
【補正の内容】
【００１３】
請求項６に係る発明は、上記建物躯体の基端部の上側に設けられた水切りカバー材の基端部と建物躯体の隙間、及び先端部と庇体との隙間が、充填溝へのコーキング材の充填で封塞されていることを特徴とする。